(57)【要約】【課題】使用者の負担がより少ないプレゼンテーション用デバイスを提供する。【解決手段】使用者が把持する把持部２３を有する本体２と、本体２における把持部２３の前端近傍に設けられた、情報処理装置６に向けて所定の指令を発するために操作される指令用操作部３１、または、レーザ光を照射するために操作される照射用操作部３０とを具備し、重心Ｌが本体２の前半部に設定されたプレゼンテーション用デバイス１を構成した。重心Ｌが本体２の前半部に存在していることで、使用者の親指の伸筋、屈筋、尺側手根屈筋等の筋活動量が低減し、使用者の疲労がより少なくなる。【選択図】図１１
2009289086.tif 000002
【特許請求の範囲】
【請求項１】
使用者が把持する把持部を有する本体と、
前記本体における把持部の前端近傍に設けられた、情報処理装置に向けて所定の指令を発するために操作される指令用操作部、または、レーザ光を照射するために操作される照射用操作部とを具備し、
重心が前記本体の前半部に設定されたプレゼンテーション用デバイス。
【請求項２】
重心が前記本体の前端から約５０ｍｍないし約６０ｍｍの範囲内に存在する請求項１記載のプレゼンテーション用デバイス。
【請求項３】
前記本体における、前記指令用操作部または前記照射用操作部が設けられた面とは反対の面の、指令用操作部または照射用操作部とは略対向する部位に、両面間の厚み寸法が他の部位よりも小さくなるように窪ませた指掛け部が形成されている請求項１または２記載のプレゼンテーション用デバイス。
【請求項４】
重心が前記指令用操作部の近傍に存在する請求項１、２または３記載のプレゼンテーション用デバイス。
【請求項５】
重心が前記照射用操作部の近傍に存在する請求項１、２または３記載のプレゼンテーション用デバイス。
【請求項６】
前記本体の把持部は、使用者側から見て手前に向かうにつれて徐々に下方に湾曲した形状をなす請求項１、２、３、４または５記載のプレゼンテーション用デバイス。
【発明の詳細な説明】
【技術分野】
【０００１】
本発明は、レーザ光をスクリーン等に照射することができ、またはプレゼンテーション用のパーソナルコンピュータ等に所要の指令を与えることができる、プレゼンテーション用デバイスに関する。
【背景技術】
【０００２】
従来より、プレゼンテーションや会議等の場で使用され、プロジェクタやＯＨＰ等によりスクリーンに投射した画面の一部をレーザ光で指示するレーザポインタが周知である。
【０００３】
また、単にレーザ光を照射するのみならず、パーソナルコンピュータやその他の情報処理装置と無線交信して表示画面の変更等の遠隔操作を行い得るものも開発されている。下記特許文献１に開示されているプレゼンテーション用デバイスでは、ペン型の筐体にレーザ照射用の操作部（押下ボタン）、ページ送り指令用の操作部、及びページ戻し指令用の操作部が設けられており、各操作部を操作することで、レーザ光を照射したり、情報処理装置にページ送り／ページ戻し指令を与えたりすることができる。
【特許文献１】特開２００６−３３０２０８号公報
【発明の開示】
【発明が解決しようとする課題】
【０００４】
上記例の如きデバイスでは電池を内蔵することが通例であり、それなりに重量を持つものとなるので、長時間に亘る使用に伴い使用者の手指や手首が疲労する問題があった。
【０００５】
以上に鑑みてなされた本発明は、使用者の負担がより少ないプレゼンテーション用デバイスを提供しようとするものである。
【課題を解決するための手段】
【０００６】
本発明では、使用者が把持する把持部を有する本体と、前記本体における把持部の前端近傍に設けられた、情報処理装置に向けて所定の指令を発するために操作される指令用操作部、または、レーザ光を照射するために操作される照射用操作部とを具備し、重心が前記本体の前半部に設定されたプレゼンテーション用デバイスを構成した。ここで、操作部とは、押下ボタン、タッチボタン、トラックパッドまたはタッチパネル、レバー、スイッチ等を包括する概念である。情報処理装置とは、パーソナルコンピュータ、多機能型のテレビジョン受像器、ディスク再生装置や記録装置等である。所定の指令とは、スライドやページの表示を切り替えるための指令、画像及び／または音声を再生または停止するための指令、記録するための指令等であるが、その指令が無線送信されるか有線送信されるかは問わない。
【０００７】
既存のプレゼンテーション用デバイスでは、本体の（使用者側に近い）後半部に電池を内蔵することもあって、本体の後半部に重心が存在することが専らである。本件発明者は、重心が本体の後半部にあるものと、本体の（使用者側から遠い）前半部にあるものとで、使用者の手の親指の伸筋、屈筋、尺側手根屈筋等の筋活動量を調査した。調査の結果、重心が本体の前半部にあるものの方がより筋活動量が少ない、つまりは負荷が小さいことが明らかとなった。上記の理由から、本体の前半部に重心を位置づけるようデバイスの設計を行った。本発明によれば、既存品と比較して使用者の負担、疲労を軽減することができる。
【０００８】
デバイスの重心は、前記本体の前端から約５０ｍｍないし約６０ｍｍの範囲内に存在することが好ましい。
【０００９】
前記本体における、前記指令用操作部または前記照射用操作部が設けられた面とは反対の面の、指令用操作部または照射用操作部とは略対向する部位に、両面間の厚み寸法が他の部位よりも小さくなるように窪ませた指掛け部が形成されていれば、その指掛け部に人差し指を掛け、操作部に親指を乗せ、残りの指で把持部を把持することができる。このように使用すれば、指令用操作部または照射用操作部の操作時に本体がぶれにくくなり、安定感が増す。さらに、指掛け部の位置を頼りにして操作部の概略位置を判断することも可能となる。即ち、操作部の位置を目で確かめる頻度が少なくなる。
【００１０】
より詳しくは、重心を前記指令用操作部または前記照射用操作部の近傍に設定する。これにより、親指で操作部を操作する行為の負担が一層軽減する。
【００１１】
前記本体の把持部が、使用者側から見て手前に向かうにつれて徐々に下方に湾曲した形状をなしていれば、中指、薬指及び小指でこれを把持しやすく、使用者の手によくフィットする。
【発明の効果】
【００１２】
本発明によれば、使用者の負担がより少ないプレゼンテーション用デバイスを実現できる。
【発明を実施するための最良の形態】
【００１３】
以下、本発明の実施の形態を、図面を参照して説明する。本実施形態のプレゼンテーション用デバイス１は、レーザ光を照射することができ、また情報処理装置６に所要の指令を与えることができるものである。
【００１４】
一般に、プレゼンテーションや会議等の場では、スライドやページ等を表示したり、画像及び／または音声を再生したり、録画／録音したりするための情報処理装置６を使用する。情報処理装置６は、具体的にはパーソナルコンピュータ、多機能型のテレビジョン受像器、ディスク再生装置や記録装置等であり、図７に示しているように、必要に応じてプロジェクタ７、モニタ、アンプ及びスピーカ、カメラ、マイク等の機器を接続する。
【００１５】
また、情報処理装置６には、プレゼンテーション用デバイス１から発信される無線信号を受信する無線レシーバ５を接続する。尤も、情報処理装置６自体にレシーバ５を内蔵している場合や、プレゼンテーション用デバイス１と情報処理装置６とを有線接続する場合にはこの限りでない。
【００１６】
本実施形態のプレゼンテーション用デバイス１は、図１ないし図６に示すように、使用者が把持する把持部２３を有する本体２と、本体２上面に設けた照射用操作部３０、指令用操作部３１及び第二指令用操作部３２とを具備する。
【００１７】
本体２は、前後に伸長しつつ前後方向の中間部でなだらかに湾曲した形状をなしており、その湾曲を開始した部位から後方（使用者から見て手前方）が把持部２３となる。本体２には、情報処理装置６に向けて無線信号を送出するための無線トランシーバ４１、レーザ光を発振するための半導体レーザ素子４２、トランシーバ４１やレーザ素子４２を制御する制御回路４３等を内蔵している。これらトランシーバ４１、レーザ素子４２及び制御回路４３等は、本体２の前半部に所在する。加えて、本体２の後半部の下方領域には、電池を収容する電池ボックス２５を設けている。
【００１８】
照射用操作部３０は、レーザ光を照射する目的で操作されるものである。他方、指令用操作部３１及び第二指令用操作部３２は、情報処理装置６上で実行されるソフトフェアの機能を制御する目的で操作されるものである。第二指令用操作部３２に対する操作は、前記指令用操作部３１に対する操作とは逆の意味を持つ。例えば、ソフトウェアが複数のスライドまたはページを順次表示するプレゼンテーションソフトである場合、指令用操作部３１に対する操作はスライドまたはページを次のものに切り替える旨を意味し、第二指令用操作部３２に対する操作はスライドまたはページを前のものに戻す旨を意味する。ソフトウェアが画像や音声を再生する再生ソフトである場合、指令用操作部３１に対する操作は画像や音声を再生する旨を意味し、第二指令用操作部３２に対する操作は画像や音声の再生を停止、または巻き戻す旨を意味する。ソフトウェアが画像や音声を記録する録画／録音ソフトである場合、指令用操作部３１に対する操作は録画または録音する旨を意味し、第二指令用操作部３２に対する操作は録画または録音を停止する旨を意味する。なお、情報処理装置６が汎用的なＯＳをインストールしたコンピュータであるならば、指令用操作部３１に対する操作が（ワイヤレス）マウスの主ボタンのクリックと同義となり、第二指令用操作部３２に対する操作がマウスの副ボタンのクリックと同義となる。プレゼンテーションや会議等の場では、照射用操作部３０及び指令用操作部３１の操作頻度が比較的高く、第二指令用操作部３２の操作頻度はそれよりも低いと考えられる。
【００１９】
照射用操作部３０、指令用操作部３１及び第二指令用操作部３２は、制御回路４３に電気的に接続している。照射用操作部３０が操作されたとき、制御回路４３はレーザ素子４２を駆動してレーザ光を発振させ、これを前方に照射する。指令用操作部３１が操作されたときには、制御回路４３はトランシーバ４１を介して所定の指令、即ちスライドまたはページの順送り、画像や音声の再生、録画または録音等を指令する信号を送信する。翻って、第二指令用操作部３２が操作されたときには、制御回路４３はトランシーバ４１を介して前記指令と相異した指令、即ちスライドまたはページの逆送り、画像や音声の再生停止または巻き戻し、録画または録音の停止等を指令する信号を送信する。レシーバ５を介してこれらの信号を受信した情報処理装置６は、その指令に従い上述のソフトウェア機能を実行する。
【００２０】
本実施形態において、照射用操作部３０、指令用操作部３１、第二指令用操作部３２はそれぞれ押下ボタンである。照射用操作部３０、指令用操作部３１及び第二指令用操作部３２は、本体２の前半部、換言すれば把持部２３の前端近傍に所在している。照射用操作部３０は、本体２の左右方向の中心軸上にある。指令用操作部３１は本体２の中心軸から右方に偏倚し、第二指令用操作部３２は本体２の中心軸から左方に偏倚している。加えて、指令用操作部３１及び第二指令用操作部３２は、照射用操作部３０よりも後方にある。総じて、照射用操作部３０、指令用操作部３１及び第二指令用操作部３２は、平面視二等辺三角形の頂点に位置する形に分散している。
【００２１】
照射用操作部３０、指令用操作部３１及び第二指令用操作部３２は、平面視略円形状をなす。照射用操作部３０の平面視直径は、例えば約８ｍｍないし約１０ｍｍとする。指令用操作部３１の平面視直径は照射用操作部３０のそれより小さく、例えば約５ｍｍとする。第二指令用操作部３２の平面視直径は指令用操作部３１のそれより小さく、例えば約４ｍｍとする。
【００２２】
照射用操作部３０、指令用操作部３１及び第二指令用操作部３２の離間距離に関して考察する。複数人の被験者について、本体２（の把持部２３）を把持した状態での親指の可動範囲を調査した結果を、図９に示す。図中、外側の実線Ｒ１は被験者の親指の可動範囲の平均を表し、内側の破線Ｒ２は被験者が照射用操作部３０を親指で操作しやすいと感じた範囲の平均を表す。図に描画した格子の目は、一辺が５ｍｍである。この調査結果によれば、曲線Ｒ２の範囲内に照射用操作部３０を配置したとき、照射用操作部３０の中央から指令用操作部３１または第二指令用操作部３２の中央までの距離は約２０ｍｍ以下に収まることが好ましいと言える。並びに、指令用操作部３１の中央と第二指令用操作部３２の中央との距離は、約１６ｍｍ以上約２２ｍｍ以下であることが好ましいと言える。
【００２３】
本実施形態では、各操作部３０、３１、３２の先端即ち上端を、本体２の表面即ち上面から突出しないように位置づけている。そして、本体２の上面には、各操作部３０、３１、３２の周縁に隣接する凹部２１、２２を形成してある。凹部２１、２２は、内周が断面視略擂鉢状をなし、各操作部３０、３１、３２の周縁を全周に亘り包囲する。特に、照射用操作部３０の周囲の凹部と指令用操作部３１の周囲の凹部とは連続し、両操作部３０、３１を包囲する一体の凹部２１となっている。この凹部２１は、第二指令用操作部３２の周囲の凹部２２とは隔絶している。
【００２４】
照射用操作部３０は指令用操作部３１及び第二指令用操作部３２よりも前方にあることから、照射用操作部３０は親指の腹で押下される蓋然性が高い。親指が比較的太い使用者でも照射用操作部３０を適切に押下できるようにするには、照射用操作部３０の周囲の凹部２１がある程度以上拡がっている必要がある。照射用操作部３０が平面視直径約１０ｍｍ以下の場合、凹部２１の周縁は平面視直径約１５ｍｍ以上であることが望ましい。本実施形態では、凹部２１の周縁の平面視直径を約２０ｍｍに設定している。
【００２５】
照射用操作部３０の周囲の凹部２１には、通電確認用のランプ２７を埋設している。ランプ２７は、凹部２１の前端縁近傍にある。このランプ２７は、制御回路４３と電気的に接続している。制御回路４３は、照射用操作部３０、指令用操作部３１または第二指令用操作部３２が押下操作されている間ランプ２７に通電してこれを点灯させる。
【００２６】
また、本体２の前半部における下面に、上下両面間の厚み寸法が他の部位よりも小さくなるように窪ませた指掛け部２４を形成している。指掛け部２４の後端縁は、照射用操作部３０と上下方向に略対向する箇所にある。但し、指掛け部２４の後端縁を、指令用操作部３１または第二指令用操作部３２と上下方向に略対向する箇所に位置づけても構わない。使用者は、指掛け部２４に人差し指を掛け、残りの指で把持部２３を把持した状態で、操作部３０、３１、３２に親指を乗せてこれを押下操作することができる。
【００２７】
本体２の前端部、レーザ光の出射窓２６から下方に偏倚した部位は斜めに切り落としてあり、その傾斜面からダイヤル３３を突き出させている。ダイヤル３３は、レーザ光の投影形状を選択するためのものである。本実施形態のプレゼンテーション用デバイス１は、レーザ光をスクリーン８等に照射したときの投影形状を複数の態様から選択可能である。具体的には、ポイント（点）、サークル（輪）またはラインＬ（線分）の何れかの投影形状をとり得る。使用者は、このダイヤル３３を回転させることで、レーザ光の投影形状を選択する。本体２の上面における前端近傍の部位には、現在選択されている投影形状を表示するための表示部２９を設けてある。この表示部２９は、レーザ光の投影形状に合わせた透明部分を有する。図２に、透明部分を薄墨で示している。使用者は、この透明部分を介してダイヤル３３の上面を透視することができる。ダイヤル３３の上面は一部を着色してあって、その色が現在選択されている投影形状の透明部分から透けて見える。
【００２８】
本体２の後端部、電池ボックス２５の直上の領域には、後方に連通した収納空間２８を開設しており、この収納空間２８にレシーバ５を収納することができる。収納空間２８にレシーバ５を収納した様子を、図５に示している。
【００２９】
レシーバ５に関して補足すると、レシーバ５は、図８に示すように、制御回路等を内蔵した筐体５１から、前方に情報処理装置６に接続するための接続プラグ５２（ＵＳＢ、ＩＥＥＥ１３９４等）を突き出させているもので、プラグ５２を介して受信した信号を情報処理装置６に送るとともに情報処理装置６から給電を受ける。筐体５１の後端部の上縁は、筐体５１の上面よりも突出してストッパ５３を形成している。レシーバ５をプレゼンテーション用デバイス１本体２の収納空間２８に挿入したとき、このストッパ５３が収納空間２８の入口の縁に当接して、レシーバ５が収納空間２８の内奥へ没入してしまうのを阻止する。また、筐体５１の側面、ストッパ５３の直前の部位を一部切り欠いており、使用者がこの切欠部分５４を摘んでレシーバ５を抜き差ししやすいようにしている。
【００３０】
本実施形態のプレゼンテーション用デバイス１は、重心が本体２の前半部にあるように設計している。重心位置の設定に関して考察する。複数人の被験者について、本体２（の把持部２３）を把持してレーザ光を照射する体勢をとらせ、その様子を側方から撮影する。このとき、レーザ光を照射する目標の高さ位置は不定とする。一人の被験者につき複数回の試行、撮影を行い、複数回及び複数人分の撮影画像を重ね合わせると、図１０に示すように、本体２の傾斜角度のばらつきの中心、換言すれば最もぶれの少ないラインＬが判明する。そのラインＬは、図１１に示すように、本体２の前半部に属し、本体２の前端から約５０ｍｍ前後の位置にあることが判明した。因みに、本体２の最前端から最後端までの全長は約１２５ｍｍである。このラインＬの近傍に重心を設定すれば、個々人の使用機会毎の本体２の傾斜角度のばらつきに伴う重心移動が少なくなるので、使い勝手の向上を期待できる。
【００３１】
複数人の被験者について、本体２を把持した状態での親指の伸筋、屈筋及び尺側手根屈筋の筋活動量を測定した結果を、図１２に示す。図中、筋活動量の値は複数人の平均値である。この測定結果によれば、本体２の前端から約５０ｍｍないし約６０ｍｍの範囲内に重心を設定することが、筋活動量の低減に有効であると判断できる。
【００３２】
しかして、本実施形態では、本体２の重心位置の近傍に、照射用操作部３０、指令用操作部３１及び第二指令用操作部３２を設けている。厳密には、指令用操作部３１及び第二指令用操作部３２は本体２の重心位置に極近接し、照射用操作部３０は本体２の重心位置から若干前方に偏倚している。重心を本体２の前半部に設定し、その重心の付近に操作部３０、３１、３２を配し、操作部以後の部位を把持部２３とすることで、使用時の使用者の疲労を軽減でき、しかも本体２の全長を不必要に長大化させずに済む。
【００３３】
複数人の被験者について、本実施形態のプレゼンテーション用デバイス１及び既存のレーザポインタ三種を個別に使用させ、親指の伸筋、屈筋及び尺側手根屈筋の筋活動量を測定した結果を、図１３に示す。図中、筋活動量の値は複数人の平均値である。既存品イ、ロ、ハは全て、重心が本体２の後半部に存在しているものである。本実施形態のプレゼンテーション用デバイス１の使用時の筋活動量は既存品使用時の筋活動量よりも少なく、使用者の負担が小さいことが分かる。
【００３４】
本実施形態によれば、使用者が把持する把持部２３を有する本体２と、前記本体２における把持部２３の前端近傍に設けられた、情報処理装置６に向けて所定の指令を発するために操作される指令用操作部３１、または、レーザ光を照射するために操作される照射用操作部３０とを具備し、重心が前記本体２の前半部に設定されたプレゼンテーション用デバイス１を構成したため、既存品と比較して使用者の負担、疲労を軽減することができる。
【００３５】
デバイスの重心が前記本体２の前端から約５０ｍｍないし約６０ｍｍの範囲内に存在しており、使用時の親指の屈筋、伸筋、尺側手根屈筋等の筋活動量を低減できる。
【００３６】
前記本体２における、前記指令用操作部３１または前記照射用操作部３０が設けられた面とは反対の面の、指令用操作部３１または照射用操作部３０とは略対向する部位に、両面間の厚み寸法が他の部位よりも小さくなるように窪ませた指掛け部２４が形成されているため、その指掛け部２４に人差し指を掛け、操作部３１、３０に親指を乗せ、残りの指で把持部２３を把持することができる。このように使用すれば、指令用操作部３１または照射用操作部３０の操作時に本体２がぶれにくくなり、安定感が増す。さらに、指掛け部２４の位置を頼りにして操作部の概略位置を判断することも可能となる。即ち、操作部の位置を目で確かめる頻度が少なくなる。
【００３７】
重心を前記指令用操作部３１及び前記照射用操作部３０の近傍に設定しているため、親指で操作部を操作する行為の負担が一層軽減する。
【００３８】
前記本体２の把持部２３が、使用者側から見て手前に向かうにつれて徐々に下方に湾曲した形状をなしているため、中指、薬指及び小指でこれを把持しやすく、使用者の手によくフィットする。
【００３９】
なお、本発明は以上に詳述した実施形態に限られるものではない。上記実施形態では、操作部３０、３１、３２は押下ボタンであったが、操作部３０、３１、３２が押下ボタン以外のもの、例えばタッチボタン、トラックパッドまたはタッチパネル、レバー、スイッチ等であったとしても、本発明特有の効果を十分に奏し得る。
【００４０】
また、上記実施形態のプレゼンテーション用デバイス１は、レーザ照射機能と情報処理装置６に対する指令機能とを両備しているものであったが、その何れか一方を省略しても構わない。つまるところ、本体に照射用操作部３０のみを設けている態様、あるいは指令用操作部３１及び第二指令用操作部３２のみを設けている態様を妨げない。
【００４１】
その他各部の具体的構成は、本発明の趣旨を逸脱しない範囲で種々変形が可能である。
【図面の簡単な説明】
【００４２】
【図１】本発明の一実施形態のプレゼンテーション用デバイスを示す斜視図。
【図２】同実施形態のプレゼンテーション用デバイスの平面図。
【図３】同実施形態のプレゼンテーション用デバイスの底面図。
【図４】同実施形態のプレゼンテーション用デバイスの正面図。
【図５】同実施形態のプレゼンテーション用デバイスのＡ−Ｂ−Ｃ−Ｄ−Ｅ−Ｆ線組み合わせ側断面図。
【図６】同実施形態のプレゼンテーション用デバイスのＧ−Ｇ線背断面図。
【図７】同実施形態のプレゼンテーション用デバイスの使用態様を示す図。
【図８】同実施形態のプレゼンテーション用デバイスと組み合わせて使用する無線レシーバを示す斜視図。
【図９】好適な操作部の配置及び操作部間の距離に関する調査の結果を示す平面図。
【図１０】最もぶれの少ないラインに関する調査の結果を示す側面図。
【図１１】最もぶれの少ないラインに関する調査の結果を示す側面図。
【図１２】プレゼンテーション用デバイスの前端から重心までの距離とこのプレゼンテーション用デバイスを使用したときの筋活動量との関係を測定した結果を示す表。
【図１３】同実施形態のプレゼンテーション用デバイス及び既存のプレゼンテーション用デバイスを使用したときの筋活動量を測定した結果を示す表。
【符号の説明】
【００４３】
１…プレゼンテーション用デバイス
２…本体
２１、２２…凹部
２３…把持部
２４…指掛け部
３０…照射用操作部
３１…指令用操作部
３２…第二指令用操作部
６…情報処理装置
【図１】
2009289086.tif 000003
【図２】
2009289086.tif 000004
【図３】
2009289086.tif 000005
【図４】
2009289086.tif 000006
【図５】
2009289086.tif 000007
【図６】
2009289086.tif 000008
【図７】
2009289086.tif 000009
【図８】
2009289086.tif 000010
【図９】
2009289086.tif 000011
【図１０】
2009289086.tif 000012
【図１１】
2009289086.tif 000013
【図１２】
2009289086.tif 000014
【図１３】
2009289086.tif 000015